(57)【要約】      （修正有）【課題】外部電源からの充電と内蔵バッテリーからの充電を抑制して切りかえることができる電子機器の充電台を提供する。【解決手段】電子機器の充電台であって、少なくとも１台の電子機器を充電でき、外部電源と電気的に接続できる。電子機器の充電台は、少なくとも１台の電子機器に電気的に接続するために用いられる少なくとも１個のポートを備えたベースと、ポートと電気的に接続するバッテリーと、バッテリーと外部電源と電気的に接続し、バッテリーの電力量を監視すると共に外部電源を制御してバッテリー、或いは、電子機器に対して充電、若しくは、バッテリーを制御して電子機器に対して充電するために用いられる制御システムと、を含む。【選択図】図１
0003184014.tif 000002
【実用新案登録請求の範囲】
【請求項１】
少なくとも１台の電子機器を充電でき、外部電源と電気的に接続でき、
前記少なくとも１台の電子機器に電気的に接続するために用いられる少なくとも１個のポートを備えたベースと、
前記少なくとも１個のポートと電気的に接続するバッテリーと、
前記バッテリーと前記外部電源と電気的に接続し、前記バッテリーの電力量を監視すると共に前記外部電源を制御して前記バッテリー、或いは、前記電子機器に対して充電、若しくは、前記バッテリーを制御して前記電子機器に対して充電するために用いられる制御システムと、
を含むことを特徴とする電子機器の充電台。
【請求項２】
前記制御手段は、時間パラメータを記録することで、前記制御システムが前記時間パラメータにより前記外部電源、又は、前記バッテリーを制御して前記少なくとも１台の電子機器に対して充電するための記憶モジュールとタイマーとを含み、前記時間パラメータの予め設定した時間内において前記制御システムが前記外部電源を制御して前記少なくとも１台の電子機器、或いは、前記バッテリーへの充電を停止し、また、前記バッテリーを制御して前記少なくとも１台の電子機器に対して充電することを特徴とする請求項１に記載の電子機器の充電台。
【請求項３】
前記予め設定した時間内において前記バッテリーの電力量が既定値に達していない時、前記制御システムは前記バッテリーを制御して前記少なくとも１台の電子機器への充電を停止し、また、前記外部電源を制御して前記少なくとも１台の電子機器に対して充電することを特徴とする請求項２に記載の電子機器の充電台。
【請求項４】
前記予め設定した時間外に前記外部電源は前記少なくとも１台の電子機器に対して充電できない時、前記制御システムが前記バッテリーを制御して前記少なくとも１台の電子機器に対して充電することを特徴とする請求項２に記載の電子機器の充電台。
【請求項５】
前記予め設定した時間外に前記バッテリーの電力量が飽和状態に達した時、前記制御システムは前記外部電源を制御して前記少なくとも１台の電子機器に対して充電し、また、前記バッテリーへの充電を停止することを特徴とする請求項２に記載の電子機器の充電台。
【請求項６】
前記ベースには、前記少なくとも１個のポートが前記少なくとも１台の電子機器に電気的に接続された時、第１の通知信号を発生し、また、前記少なくとも１台の電子機器の電力量が対応する設定値に達した時、対応する通知信号を発生するための少なくとも１個の通知エレメントを更に含むことを特徴とする請求項１〜５のいずれか一項に記載の電子機器の充電台。
【考案の詳細な説明】
【技術分野】
【０００１】
本考案は、充電台に関し、特に、電子機器に対して充電する充電台に関する。
【背景技術】
【０００２】
テクノロジーの発展に伴い、ポータブル電子製品が徐々にテクノロジー製品開発の重点となり、またポータブル製品は持ち運びに便利であるため、徐々に消費者が電子製品を購入する際のベストチョイスとなっている。以前、利用者が外出中に携帯電話を使用していた時、一旦電力量を使い切ると、バッテリーを交換するか、或いはやむ得なく電話をオフにするしかなかった。もしも利用者がちょうど通話の最中であると、通話を一時中断しなければならなかったため、非常に不便であった。
【０００３】
前述の欠点を改善するため、ポータブル電源装置が生まれ、ポータブル電子機器が間もなく電力がなくなろうとする時、速やかに電源をポータブル電子機器に提供でき、バッテリーを交換するという手間を省くことができる。一般的に、ポータブル電源装置に電力が無くなった時、プラグを通じてポータブル電源装置を商用電源のコンセントに差し込んで充電する。しかしながら、利用者が同時に複数のポータブル電源装置或いはその他の電子機器に対して充電する場合、必ず対応数のコンセントを探す必要がある。一般的な住まいの環境内で同じ場所近くの家庭用コンセント数が不足した場合、利用者のニーズを満たすことができず、不便が生じる。且つ一般的な充電は、大半が電力料金の非オフピーク時間に行われるため、高い電気代の支出となってしまう。
【０００４】
よって、上記欠点を改善するため、新しい充電台を考案する必要があった。
【考案の概要】
【考案が解決しようとする課題】
【０００５】
本考案の主な目的は、給電モードを変更できる電子機器の充電台及びその給電を制御する方法を提供することである。
【課題を解決するための手段】
【０００６】
上記目的を達成するため、本考案の電子機器の充電台は、少なくとも１台の電子機器を充電でき、外部電源と電気的に接続できる。電子機器の充電台は、少なくとも１台の電子機器に電気的に接続するために用いられる少なくとも１個のポートを備えたベースと、ポートと電気的に接続するバッテリーと、バッテリーと外部電源と電気的に接続し、バッテリーの電力量を監視すると共に外部電源を制御してバッテリー或いは電子機器に対して充電若しくはバッテリーを制御して電子機器に対して充電するために用いられる制御システムと、を含む。
【０００７】
本考案の給電を制御する方法は、電子機器の充電台に用いられる。電子機器の充電台は、少なくとも１台の電子機器に対して充電するために用いられ、且つ外部電源と電気的に接続できる。電子機器の充電台は、少なくとも１個のポートとバッテリーとを含む。本考案の給電を制御する方法には、予め設定された時間内にあるかを判断するステップと、予め設定された時間内にある場合、外部電源を制御して電子機器への充電を停止し、バッテリーを制御して電子機器に対して充電するステップと、予め設定された時間外の場合、外部電源を制御して電子機器或いはバッテリーに対して充電するステップと、を含む。
【図面の簡単な説明】
【０００８】
【図１】本考案に係る電子機器の充電台の設置構成図である。
【図２】本考案に係る給電を制御する方法のステップフローチャートである。
【考案を実施するための形態】
【０００９】
以下に、本考案の上記目的と他の目的、特徴及び長所を更に明確に分かりやすくするため、具体的実施例を添付図面に基づいて説明する。
【００１０】
まず本考案に係る電子機器の充電台の設置構成図の図１を参照しながら説明する。
【００１１】
図１に示すように、本考案の一実施例において、本考案の電子機器の充電台１は、複数台の電子機器９０を充電できる。本考案の具体的実施例において、電子機器９０はポータブル電源装置であるが、本考案はこれに限られるものではなく、電子機器９０として携帯電話、ゲーム機或いは家電製品とすることもできる。
【００１２】
電子機器の充電台１は、外部電源８０と電気的に接続でき、外部電源８０を利用して電子機器９０に対して充電する。本考案の一実施例において、電子機器の充電台１には、ベース１０と交流直流変換モジュール２０とバッテリー３０と制御システム４０と複数の通知エレメント５０とを含む。
【００１３】
本考案の一実施例において、ベース１０には、複数のポート１１を備え、各ポート１１が各電子機器９０とそれぞれ電気的に接続することに用いられる。本考案の具体的実施例において、ポート１１は、ユニバーサルシリアルバス（Ｕｎｉｖｅｒｓａｌ  Ｓｅｒｉａｌ  Ｂｕｓ、ＵＳＢ）ポート、或いはミニユニバーサルシリアルバス（Ｍｉｎｉ  Ｕｎｉｖｅｒｓａｌ  Ｓｅｒｉａｌ  Ｂｕｓ、Ｍｉｎｉ−ＵＳＢ）ポート、若しくはマイクロユニバーサルシリアルバス（Ｍｉｃｒｏ  Ｕｎｉｖｅｒｓａｌ  Ｓｅｒｉａｌ  Ｂｕｓ、Ｍｉｃｒｏ−ＵＳＢ）ポートとすることができるが、本考案はこれに限られるものではない。
【００１４】
本考案の一実施例において、交流直流変換モジュール２０は、外部電源８０と電気的に接続し、外部電源８０から入力された交流電源を直流電源に変換するために用いられる。
【００１５】
本考案の一実施例において、バッテリー３０は、各ポート１１と電気的に接続する。各ポート１１に電気的に接続する電子機器９０に対して充電するため、バッテリー３０は各ポート１１に対し給電するために用いることができる。
【００１６】
本考案の一実施例において、制御システム４０は、充電モジュール４１と制御手段４２とを備える。充電モジュール４１は、交流直流変換モジュール２０と電気的に接続し、外部電源８０で発生した電流を電子機器９０又はバッテリー３０にまで伝送させることができ、外部電源８０で電子機器９０或いはバッテリー３０に対し充電、或いは使バッテリー３０に生じた電流を電子機器９０まで伝送させ、バッテリー３０で電子機器９０に対して充電する。制御手段４２は、充電モジュール４１とバッテリー３０と電気的に接続して、バッテリー３０の電力量を監視し、また充電モジュール４１を制御して、充電モジュール４１が外部電源８０のバッテリー３０或いは電子機器９０に対する充電を制御、若しくはバッテリー３０の電子機器９０に対する充電を制御させる。本考案の一実施例において、制御手段４２は、記憶モジュール４２１とタイマー４２２とを含む。記憶モジュール４２１は、時間パラメータを記録することで、制御システム４０が時間パラメータにより外部電源８０又はバッテリー３０の電子機器９０に対する充電を制御させることができる。タイマー４２２は、計時するために用いる。本考案の具体的実施例において、充電モジュール４１は、少なくとも２個の電気制御スイッチを備え、各電気制御スイッチは電子機器９０或いはバッテリー３０に対して充電する時の充電経路を各々導通或いは遮断することに用いられる。制御手段４２はバッテリー管理システムである。ただし本考案の充電モジュール４１及び制御手段４２は、これに限るものではない。
【００１７】
複数の通知エレメント５０がベース１０に設けられ、且つ各ポート１１に対応するように設置される。各通知エレメント５０は、対応するポート１１が電子機器９０に電気的に接続した時、第１の通知信号を発生させ、また電子機器９０の電力量が各段階の設定値に達した時、対応する通知信号を発生させることで、利用者に電子機器９０の電力量の状況を知らせる。本考案の具体的実施例において、通知エレメント５０は発光ダイオードとしているが、本考案ではこれに限るものではない。
【００１８】
最後に図１及び図２を一緒に参照にしながら説明する。図２は、本考案に係る給電を制御する方法のステップフローチャートである。以下に図１を組み合わせて図２に示す各ステップを説明する。以下は、前記電子機器の充電台１を例として、本考案で開示する給電を制御する方法を説明しているが、この方法は、前記電子機器の充電台１に使用されることに限るものではない。
【００１９】
まず外部電源が電子機器に対して充電できないかどうかを判断するステップＳ１を行う。
【００２０】
図１及び図２に示すように、本考案の一実施例において、本考案に係る電子機器の充電台１の制御システム４０は、外部電源８０の給電状況を随時監視できる。外部電源８０が正常に給電（例えば停電）できない、或いは外部電源８０が電子機器の充電台１に電気的に接続していなかった時、給電が中断しないように、制御システム４０がバッテリー３０を制御して電子機器９０に対して充電でき、つまりステップＳ４を実行する。
【００２１】
次に予め設定した時間内にあるかどうかを判断するステップＳ２を行う。
【００２２】
本考案の一実施例において、制御手段４２の記憶モジュール４２１は、時間パラメータを記録できる。時間パラメータの設定は、利用者が時間パラメータを入力することにより行うことができる。時間パラメータは開始時間と終了時間とを含むことができる。本考案の実施例において、開始時間を朝８時に設定し、終了時間を夜１０時に設定しているが、本考案ではこれに限るものではない。記憶モジュール４２１が時間パラメータを記録した場合、制御システム４０が時間パラメータに基づき外部電源８０或いはバッテリー３０の電子機器９０に対する充電を制御できる。よって、外部電源８０が正常に給電できることを確保する状況において、外部電源８０による給電、若しくはバッテリー３０による給電の制御を決定する前、制御手段４２が時間パラメータで設定した開始時間及び終了時間になったかどうかを判断でき、つまり現時点が予め設定した時間内にあるかどうかを判断する。
【００２３】
バッテリーの電力量が既定値に達しているかどうかを検出するステップＳ３を行う。
【００２４】
本考案の一実施例において、予め設定した時間内にある時、制御システム４０は、現在のバッテリー３０の電力量が充電に適しているかどうかの状態を判断し、バッテリー３０の電力量が既定値（例えば、飽和電力量の１０％しか残っていない）に達していない時、バッテリー３０の電子機器９０に対する充電に適していないため、外部電源８０を制御して電子機器９０に対して充電し、つまりステップＳ５を実行する。逆に、バッテリー３０の電力量が既定値に達していた場合、ステップＳ４を実行する。
【００２５】
バッテリーを制御して電子機器に対して充電するステップＳ４を行う。
【００２６】
本考案の一実施例において、時間パラメータの予め設定した時間内（つまり朝８時から夜１０時まで）にバッテリー３０の電力が既定値に達していた場合、この時間帯は電力ピーク時間帯に属するため、制御システム４０がこの時間帯内で外部電源８０を制御して電子機器９０及びバッテリー３０への充電を停止し、またバッテリー３０を制御して電子機器９０に対して充電するよう設定できることで、電気代を節約する。また先に述べるように外部電源８０が電子機器９０に対して正常に充電できなかった場合、予め設定した時間内にあるかどうかを問わず、バッテリー３０の電子機器９０に対する充電を制御する。
【００２７】
外部電源を制御して電子機器に対して充電するステップＳ５を行う。
【００２８】
先に述べるようにバッテリー３０の電力量が既定値に達していなかった時、バッテリー３０の給電に適しておらず、このため、予め設定した時間内にあるがバッテリー３０の電力量が既定値に達していなかった場合、制御システム４０は、やはり外部電源８０を制御して電子機器９０に対して充電する。
【００２９】
バッテリーの電力量が飽和状態に達しているかどうかを検出するステップＳ６を行う。
【００３０】
予め設定した時間外にあり、且つ外部電源８０が電子機器９０に対し正常に充電できる場合、制御システム４０が更にバッテリー３０の電力量が飽和状態（つまり満充電の有無）に達しているかどうかを検出する。バッテリー３０の電力量が飽和状態に達していた時、外部電源８０を制御して単独で電子機器９０に対し充電するだけでよく、つまり前記ステップＳ５を実行する。逆に、バッテリー３０が満充電になっていない場合、外部電源８０を制御して同時に電子機器９０及びバッテリー３０に対して充電し、つまりステップＳ７を実行する。
【００３１】
本考案で開示する給電を制御する方法は、上記ステップ順序に限られるものではなく、本考案の目的を達成できれば、上記ステップ順序を変更することも可能である。
【００３２】
以上の説明からも分かるとおり、本考案に係る電子機器の充電台１及び給電を制御する方法は、異なる時間帯に応じて異なる給電モード（つまり商業電源の給電モード及びバッテリーの給電モード）を提供でき、これを通じて電気代節約の目的を達成し、且つ充電台上の複数のポート１１の設置を通じて、複数台の電子機器９０に対し同時に充電できる。非常状況が発生した時も適時通知エレメントを通じてベストの電力量の電子機器を緊急避難又は救難のために提供でき、従来技術の問題点を効果的に解決できる。
【００３３】
上記をまとめ、本考案は、目的、手段及び効果を問わず、いずれも従来技術の特徴とは異なり、審査官は、何卒ご審理の上、速やかに特許査定賜りますようお願いする次第であります。ただし、上記の多くの実施例は、説明の便宜のためだけに挙げた例であり、本考案が主張する権利範囲は、上記実施例に限定されることなく、当然実用新案登録請求の範囲で記載されるものを基準とする。
【符号の説明】
【００３４】
１ 電子機器の充電台
１０ ベース１０
１１ ポート
２０ 交流直流変換モジュール
３０ バッテリー
４０ 制御システム
４１ 充電モジュール
４２ 制御手段
４２１ 記憶モジュール
４２２ タイマー
５０ 通知エレメント
８０ 外部電源
９０ 電子機器
【図１】
0003184014.tif 000003
【図２】
0003184014.tif 000004